(57)【特許請求の範囲】
【請求項１】
外周部に側枠を設けるとともに、長辺側の前部側枠が左右のコーナ支柱に対して上下スライド可能な開閉扉として構成されているベビーベットにおいて、上記左右のコーナ支柱の互いに対向する面に、上記前部側枠に設けられたスライダーの基部が摺動可能に係合する縦方向に延びるスリットが形成された筒状のレールを埋設するとともに、そのレールの上記スリットが形成されている面と同一面に、前部側枠に設けられたスライダーと対応してスライダーの先端係合片部挿入用の切り欠きを設け、前部側枠は左右のコーナ支柱の互いに対向する面に沿って延びる両側部を有し、
上記スライダー挿入用の切り欠きは、左右のコーナ支柱に装着された前部側枠のうち、コーナ支柱の互いに対向する面に沿って延びる両側部によって隠れる位置に設けられている、ことを特徴とする、ベビーベット。
【発明の詳細な説明】
【０００１】
【発明の属する技術分野】
本発明は、乳幼児を寝かせておくベビーベットに関する。
【０００２】
【従来の技術及び発明が解決しようとする課題】
一般に、乳幼児を寝かせておくベビーベットにおいては、寝返りなどによる乳幼児の万一の転落を防止するため、その四周に所定高さの縦格子状の側枠が設けられている。ところが、上記側枠が全て固定式であると、乳幼児のベビーベットへの出し入れ時或はオムツ交換時に母親等が腰を大きく曲げる必要があり、その作業性が悪い等の問題がある。
【０００３】
そこで、特に乳幼児を出し入れする側の前部側枠を下降スライド式とし、通常はその前部側枠を閉位置に保持し、乳幼児を出し入れするときには上記前部側枠を開き、作業性が良くなるようにしたものがある。
【０００４】
図３は、上記前部側枠を開閉可能としたベビーベットの斜視図であって、平面視で長方形をなし、その長方形の各隅角部にはコーナ支柱１ａ，１ｂ，１ｃ，１ｄが配設されており、各コーナ支柱間には縦格子状の側枠が設けられている。
【０００５】
すなわち、後部の左右のコーナ支柱１ａ，１ｂはその最下部が下部横桟２によって互いに連結されるとともに、コーナ支柱１ａ，１ｂ間の上半部には長辺側の後部側枠３が配設され、その後部側枠３によって左右のコーナ支柱１ａ，１ｂが一体に連結されている。また、前部の左右のコーナ支柱１ｃ，１ｄはその中間部と最下部が上部横桟４及び下部横桟５によって互いに連結されている。さらに、コーナ支柱１ｂと１ｃ間、及びコーナ支柱１ｄと１ａ間には、その上半部にそれぞれ長辺側に折り畳み可能な短辺側の側枠６，７が配設され、その側枠６，７によってコーナ支柱１ｂと１ｃ及びコーナ支柱１ｄと１ａが連結されている。
【０００６】
一方、前部の左右のコーナ支柱１ｃ，１ｄ間には長辺側の前部側枠８が配設されている。上記前部側枠８の両側部には図示しないスライダーが突設してあり、その係合片が左右のコーナ支柱１ｃ，１ｄの対向面に設けられた縦方向に延びるレール１４に摺動可能に係合されており、上記前部側枠８が、上記左右のコーナ支柱１ｃ，１ｄに沿って上下スライド可能としてある。すなわち、前部枠体８によって上下動可能な開閉扉が構成されている。
【０００７】
上記前部側枠８の左右の縦枠部材８ａ，８ｂにはその上部に、それぞれ内側方から外側方へスプリング（図示せず）によって突出するように付勢されたスライドラッチ１０が設けられており、前部側枠８が上方の閉位置にあるとき、そのスライドラッチ１０の先端が左右のコーナ支柱１ｃ，１ｄの互いに対向する面に設けられた係止孔（図示せず）に挿入係合され、前部側枠８がその閉位置に保持されるようにしてある。
【０００８】
しかして、上記スライドラッチ１０を操作し、その先端をコーナ支柱１ｃ，１ｄの係合孔から引き抜くことによって、前部側枠８を下方に移動させ、前部側枠８を図４に示す開状態に位置させることができる。なお、図中、符号１１は床板上に敷設されたマットであり、１２は下部横桟２，５に設けられたキャスター、１３は第２のロック装置である。
【０００９】
ところが、このように前部側枠８を上下に開閉可能とした従来のベビーベットにおいては、図５の（ａ）或は図６の（ａ）に示すように、コーナ支柱１ｃ，１ｄ（図にはその一方のみを示す）に、前面壁に軸線方向のスリット１４ａを形成した角筒状のレール１４を埋設し、図５の（ｂ）に示すように、そのレール１４の上端部から前部側枠８に取り付けられたスライダー１５をそのレール内に挿入係合させたり、或は図６の（ａ）、（ｂ）に示すようにコーナ支柱１ｃ及びレール１４の側面に切り欠き１６を設け、その切り欠き１６を通してスライダー１５をレール１４内に挿入係合させることによって、前部側枠８をコーナ支柱間に組み込むようにしてある。
【００１０】
したがって、このようなベビーベットにおいては、前部側枠８の組み込み後においては、上記コーナ支柱１ｃの頂部或は切り欠き１６に図示しないカバーを取り付け、レールの頂端開口部或は上記切り欠き１６を塞ぐ必要がある。そのため、従来のものにおいては上記支柱１ｃ，１ｄの頂部を覆うカバー或は切り欠き１６を塞ぐカバーが必要であるとともに、前部側枠の組み込み時には、スライダー１５をレール１４に係合させた後に、上記カバーを取り付ける必要があり、工数が多くなり、またコスト高となる等の問題がある。
【００１１】
本発明は、このような点に鑑み、上述の如きカバーを全く必要とせず、また前部側枠の組み込み後に上記カバーの装着作業等を必要としないベビーベットを得ることを目的とする。
【００１２】
【課題を解決するための手段】
本発明は、外周部に側枠を設けるとともに、長辺側の前部側枠が左右のコーナ支柱に対して上下スライド可能な開閉扉として構成されているベビーベットにおいて、上記左右のコーナ支柱の互いに対向する面に、上記前部側枠に設けられたスライダーの基部が摺動可能に係合する縦方向に延びるスリットが形成された筒状のレールを埋設するとともに、そのレールの上記スリットが形成されている面と同一面に、前部側枠に設けられたスライダーと対応してスライダーの先端係合片部挿入用の切り欠きを設け、前部側枠は左右のコーナ支柱の互いに対向する面に沿って延びる両側部を有し、上記スライダー挿入用の切り欠きは、左右のコーナ支柱に装着された前部側枠のうち、コーナ支柱の互いに対向する面に沿って延びる両側部によって隠れる位置に設けられている、ことを特徴とする、ベビーベットである。
【００１４】
【発明の実施の態様】
以下、図１及び図２を参照して本発明の実施の形態について説明する。
【００１５】
図１は、本発明のベビーベットの分解斜視図であって、長方形の角隅角部にはコーナ支柱１ａ，１ｂ，１ｃ，１ｄが配設されており、各コーナ支柱間には縦格子状の側枠が設けられている。
【００１６】
すなわち、コーナ支柱１ａ，１ｂはその最下部が下部横桟２によって互いに連結されるとともに、コーナ支柱１ａ，１ｂ間の上半部には長辺側の後部側枠３が配設され、その後部側枠３によって左右のコーナ支柱１ａ，１ｂが一体に連結されている。また、前部のコーナ支柱１ｃ，１ｄはその中間部と最下部が上部横桟４及び下部横桟５によって互いに連結されている。さらに、コーナ支柱１ｂと１ｃの間、及びコーナ支柱１ｄと１ａ間には、その上半部にそれぞれ長辺側に折り畳み可能な短辺側の側枠６，７が配設され、その側枠６，７によってコーナ支柱１ｂと１ｃ及びコーナ支柱１ｄと１ａが連結されている。
【００１７】
一方、前部の左右のコーナ支柱１ｃ，１ｄ間には長辺側の前部側枠８が配設されている。この前部側枠８の両側部にはそれぞれ左或は右方向に突出するスライダー１５が上下２個所に取り付けられている。また、左右のコーナ支柱１ｃ，１ｄの対向面には縦方向に延びるレール１４が埋設してあり、そのレール１４に上記前部側枠８に設けられたスライダー１５が摺動可能に係合されており、前部側枠８により左右のコーナ支柱１ｃ，１ｄに沿って上下スライド可能な開閉扉が構成されている。ここまでは、図３に示すベビーベットと全く同一である。
【００１８】
ところで、図２は本発明のベビーベットの前部側枠とコーナ支柱１ｄとの連結部の構成を説明する拡大分解斜視図であって、前部側枠８の両端外側部には上下に２つの（図にはその１個のみ示す）スライダー１５が取り付けられている。上記スライダー１５は前部側枠８に固着する取付板部１５ａと、その取付板部１５ａから突設された左右に平行な側面を有し所定厚さの基部１５ｂと、その基部１５ｂの頂端に一体に形成され上記基部１５ｂの厚さより大寸法を有する係止片部１５ｃとにより形成されている。
【００１９】
一方、コーナ支柱１ｃ，１ｄの対向面には（図には１ｄのみを示す）、角筒状のレール１４がコーナ支柱１ｄの長手軸線に沿って埋設されており、その下端部にはクッション材（図示せず）が設けられている。上記レール１４の表面（コーナ支柱の上記対向面と同一面となっている面）には、上記スライダー１５の基部１５ｂがスライド可能に係合する軸線方向に延びるスリット１４ａが形成されている。そして、上記レール１４の表面には、前部側枠８に装着された上下２個のスライダー１５と対応する上下２個所の位置に、スライダー１５の係止片部１５ｃを挿入し得る切り欠き１７が形成されている。
【００２０】
しかして、上記ベビーベットの組立てに際しては、コーナ支柱１ａ，１ｂ，１ｃ，１ｄ、後部側枠３、側枠６，７、下部横桟２、上部横桟４及び下部横桟５を仮組みした後、前部側枠８の一方、例えば左側の２個のスライダー１５をコーナ支柱１ｃに設けられているレール１４の上記切り欠き１７を介してそのレール１４内に挿入係合させる。その後両側のコーナ支柱１ｃ，１ｄを左右に若干押し広げ、右側の２個のスライダー１５の係止片部１５ｃをコーナ支柱１ｄに取り付けられているレール１４の切り欠き１７を通してそのレール１４内に挿入係合させる。そして、その後上記他の側枠等を本締めすることによりベットの組立を完了する。
【００２１】
このようにして組立を完了することにより、スライダー１５の基部１５ｂがレール１４のスリット１４ａに摺動可能に係合し、前部側枠８をレール１４に沿って上下スライド可能とすることができる。
【００２２】
なお、上述のようにレール１４には上下２個所に切り欠き１７を設けるが、この切り欠き１７は組み込みが完了した前部側枠８によって隠れた位置に設けることによって、美観を損うことがない。
【００２３】
【発明の効果】
以上説明したように、本発明は、左右のコーナ支柱の互いに対向する面に埋設されたレールの表面に前部側枠に設けられたスライダーと対応してスライダーの先端係止片部挿入用の切り欠きを設けたので、その切り欠きを介してスライダーの係止片部をレール内に挿入し、スライダーの基部をレールのスリットに摺動可能に係合させることができ、その係合後に上記切り欠きをカバー等によって塞ぐ必要がない。したがって、上記カバーの如き部材が不要となり、また取付工数を低減でき、コスト低減を図ることができる等の効果を奏する。
【図面の簡単な説明】
【図１】本発明のベビーベットの分解斜視図。
【図２】本発明のベビーベットのスライダーとレールの係合部の構成を示す拡大分解斜視図。
【図３】前部側枠が上下スライド可能なベビーベットの概略構成を示す斜視図。
【図４】前部側枠を降下させた状態を示す斜視図。
【図５】（ａ）、（ｂ）は従来のベビーベットにおけるスライダーのレールへの挿入係合操作の一例を示す説明図。
【図６】（ａ）、（ｂ）は従来のベビーベットにおけるスライダーのレールへの挿入係合操作の他の例を示す説明図。
【符号の説明】
１ａ，１ｂ，１ｃ，１ｄ  コーナ支柱
２，５  下部横桟
３  後部側枠
６，７  短片側の側枠
８  前部側枠
１４  レール
１４ａ  スリット
１５  スライダー
１５ａ  基部
１５ｃ  係止片部
１７  切り欠き
【図１】
0004566317.tif 000002
【図２】
0004566317.tif 000003
【図３】
0004566317.tif 000004
【図４】
0004566317.tif 000005
【図５】
0004566317.tif 000006
【図６】
0004566317.tif 000007